(57)【特許請求の範囲】
【請求項１】
ブラシ台の幅方向に複数列に並べた状態で当該ブラシ台の上面の長さ方向に毛髪処理剤を載置できる毛髪処理剤用ブラシであって、
前記ブラシ台の幅方向の両側の側縁部に沿って各々設けられ、前記ブラシ台の長さ方向に所定の間隔をおいて配置された複数本の外側ブラシ歯からなる外側ブラシ歯列と、該外側ブラシ歯列の前記幅方向の内側に隣接して設けられ、前記長さ方向に所定の間隔をおいて配置された複数本のエラストマーによる内側ブラシ歯からなる内側ブラシ歯列とを含んで形成されており、
前記内側ブラシ歯と前記外側ブラシ歯とが千鳥状に配置されており、
前記毛髪処理剤を毛髪に塗布する際に、前記内側ブラシ歯の先端部が、隣接する前記複数本の外側ブラシ歯の間の間隔部分を介して、前記外側ブラシ歯列の外方に突出するまで変形する毛髪処理剤用ブラシ。
【請求項２】
前記外側ブラシ歯列を構成する前記外側ブラシ歯は、前記ブラシ台の基面に対して垂直な方向から、前記ブラシ台の幅方向の外側に傾いた状態で立設して設けられている請求項１記載の毛髪処理剤用ブラシ。
【請求項３】
前記内側ブラシ歯列を構成する前記内側ブラシ歯は、前記ブラシ台の基面に対して垂直な方向における先端の高さが、前記外側ブラシ歯の先端の高さ以下となるように立設して設けられている請求項１または２記載の毛髪処理剤用ブラシ。
【請求項４】
前記内側ブラシ歯は、前記ブラシ台の基面に対して垂直な方向における先端の高さが、前記外側ブラシ歯の先端の高さよりも０．５〜１０ｍｍ低くなるように立設して設けられている請求項３記載の毛髪処理剤用ブラシ。
【請求項５】
前記外側ブラシ歯は、前記ブラシ台の基面にして垂直な方向から、前記ブラシ台の幅方向の外側に、５〜４５度の傾斜角度で傾いた状態で立設して設けられている請求項２〜４のいずれか１項記載の毛髪処理剤用ブラシ。
【請求項６】
両側の前記内側ブラシ歯列の間の中間部分に、前記ブラシ台の長さ方向に所定の間隔をおいて配置された複数本のエラストマーによる中間部ブラシ歯からなる、中間部ブラシ歯列が設けられている請求項１〜５のいずれか１項記載の毛髪処理剤用ブラシ。
【請求項７】
前記中間部ブラシ歯は、前記内側ブラシ歯に対して千鳥状に配置されている請求項６記載の毛髪処理剤用ブラシ。
【請求項８】
前記ブラシ台の幅方向における、前記内側ブラシ歯列と前記中間部ブラシ歯列との間の領域は、いかなるブラシ歯も存在しない領域となっている請求項６または７記載の毛髪処理剤用ブラシ。
【請求項９】
前記ブラシ台の長さ方向の両側の端部に、前記ブラシ台の幅方向に所定の間隔をおいて配置された複数本の端部ブラシ歯からなる端部ブラシ歯列が設けられている請求項１〜８のいずれか１項記載の毛髪処理剤用ブラシ。
【発明の詳細な説明】
【技術分野】
【０００１】
本発明は、ブラシ台の幅方向に複数列に並べた状態で当該ブラシ台の上面の長さ方向に毛髪処理剤を載置できる毛髪処理剤用ブラシに関し、毛髪処理剤を混合させながら毛髪に塗布できるようにする毛髪処理剤用ブラシに関する。
【背景技術】
【０００２】
毛髪処理剤として、例えば染毛剤、脱色剤、トリートメント剤、パーマ剤、マニキュア剤等は、これらを毛髪に塗布する際に、手袋をはめて手で塗布したり、ブラシやコーム等の塗布具を用いて塗布したりするのが一般的である。また、これらの毛髪処理剤のうち、染毛剤等の２剤式の毛髪処理剤は、アルカリ剤を含有する第１剤と、酸化剤を含有する第２剤とが混合された状態で、毛髪に塗布されることになる。
【０００３】
２剤式の毛髪処理剤を使用する場合、第１剤と第２剤とを、例えば泡状、クリーム状、ゲル状、ペースト状等の状態にして、例えばトレイの上に一旦吐出させ、これらをヘラや刷毛等を用いて混合した後に、手や塗布具を用いて毛髪に塗布するようになっていたが、第１剤と第２剤とを混合する作業に煩わしさを感じることが多い。
【０００４】
このようなことから、ブラシ歯が立設するブラシ台の上に、例えばエアゾール容器から第１剤と第２剤とを吐出させて、各々の剤を視認可能に載置した状態で、ブラシを用いて毛髪を梳かしながら、第１剤と第２剤とを混合させつつ染毛剤等の毛髪処理剤を毛髪に塗布できるようにしたブラシが、種々開発されている（例えば、特許文献１、特許文献２、特許文献３参照）。
【先行技術文献】
【特許文献】
【０００５】
【特許文献１】特開平１０−３３２５１号公報
【特許文献２】特開２００５−９７３１０号公報
【特許文献３】意匠登録第１３７２５６２号公報
【発明の概要】
【発明が解決しようとする課題】
【０００６】
しかしながら、上記従来のブラシでは、第１剤と第２剤との混合が不十分なまま毛髪処理剤が毛髪に塗布されることがあり、また毛髪処理剤が毛髪の裏側まで充分に塗布されない場合があるため、第１剤と第２剤との混合性をさらに向上させると共に、毛髪処理剤を毛髪の裏側まで充分に塗布できるブラシを新たに開発することが要望されている。
【０００７】
本発明は、毛髪を梳かしながら、ブラシ台の幅方向に複数列に並べた状態で当該ブラシ台の上面の長さ方向に載置された毛髪処理剤を毛髪に塗布する際に、毛髪処理剤の混合性をさらに向上させることができると共に、毛髪の裏側まで充分に塗布できる毛髪処理剤用ブラシを提供することを目的とする。
【課題を解決するための手段】
【０００８】
本発明は、ブラシ台の幅方向に複数列に並べた状態で当該ブラシ台の上面の長さ方向に毛髪処理剤を載置できる毛髪処理剤用ブラシであって、前記ブラシ台の幅方向の両側の側縁部に沿って各々設けられ、前記ブラシ台の長さ方向に所定の間隔をおいて配置された複数本の外側ブラシ歯からなる外側ブラシ歯列と、該外側ブラシ歯列の前記幅方向の内側に隣接して設けられ、前記長さ方向に所定の間隔をおいて配置された複数本のエラストマーによる内側ブラシ歯からなる内側ブラシ歯列とを含んで形成されており、前記内側ブラシ歯と前記外側ブラシ歯とが千鳥状に配置されている毛髪処理剤用ブラシを提供することにより、上記目的を達成したものである。
【発明の効果】
【０００９】
本発明の毛髪処理剤用ブラシによれば、毛髪を梳かしながら、ブラシ台の幅方向に複数列に並べた状態で当該ブラシ台の上面の長さ方向に載置された毛髪処理剤を毛髪に塗布する際に、毛髪処理剤の混合性をさらに向上させることができると共に、毛髪の裏側まで充分に塗布できる。
【図面の簡単な説明】
【００１０】
【図１】本発明の好ましい一実施形態に係る毛髪処理剤用ブラシを備える毛髪処理用具の斜視図である。
【図２】本発明の好ましい一実施形態に係る毛髪処理剤用ブラシを備える毛髪処理用具の側面図である。
【図３】本発明の好ましい一実施形態に係る毛髪処理剤用ブラシの構成を説明する、毛髪処理用具のブラシ部の上面図である。
【図４】本発明の好ましい一実施形態に係る毛髪処理剤用ブラシの構成を説明する、図２のＡ−Ａに沿った拡大断面図である。
【図５】ブラシ台の上面に第１剤と第２剤とを並べて載置した状態を説明する、毛髪処理用具のブラシ部の上面図である。
【図６】内側ブラシ歯や中間部ブラシ歯が撓んで、毛髪処理剤を毛髪の間に押し込んでいる状態の説明図である。
【図７】先端部が外側ブラシ歯列の外方に突出するまで内側ブラシ歯が変形して、外側ブラシ歯の側面と内側ブラシ歯の側面との間に小分けされた毛髪を挟み込んでいる状態の説明図である。
【発明を実施するための形態】
【００１１】
本発明の好ましい一実施形態に係る毛髪処理剤用ブラシ１０は、図１及び図２に示すように、毛髪を掻き分けたり、毛髪を梳かしながら処理したり、毛髪の細かい部分を処理したりするのに適した機能を各々備える、櫛部２１、ブラシ部２２、及びミニブラシ部２３を有する毛髪処理用具２０の、ブラシ部２２を構成する部分として用いられる。本実施形態では、毛髪処理用具２０は、ハンドル部２４と、ハンドル部２４の先端部分に一体として設けられた取付け基板部２５と、取付け基板部２５に支持させて設けられた、櫛部２１、ブラシ部２２、及びミニブラシ部２３とを含んで形成されている。図１及び図２において、ブラシ部２２は、取付け基台部２５の上側辺部に一体として設けられており、櫛部２１は、取付け基台部２５の下側辺部に一体として設けられており、ミニブラシ部２３は、取付け基台部２５の先端側辺部に一体として設けられている。
【００１２】
使用者は、毛髪処理用具２０のハンドル部２４を手で把持して、取付け基台部２５を回転させたり、傾けたりしながら、櫛部２１やブラシ部２２やミニブラシ部２３の各々を、頭皮と対向させるように配置して、毛髪を掻き分ける操作や、毛髪を梳かす操作や、毛髪の細かい部分を梳かす操作を、容易に行うことができるようになっている。本実施形態の毛髪処理剤用ブラシ１０は、上述のように、毛髪処理用具２０のブラシ部２２を構成するものとなっており、毛髪処理剤として、例えば染毛剤のアルカリ剤を含有する第１剤３０ａと酸化剤を含有する第２剤３０ｂとを、例えば図１に示す毛髪処理剤用ブラシ１０によるブラシ部２２を上方に向けた状態で、ブラシ台１１の上面１１ａに長さ方向Ｘに載置した後に(図５参照)、毛髪処理剤用ブラシ１０を頭皮と対向させて、好ましくはブラシ台１１の幅方向Ｙに動かすことで、毛髪を梳かしながら、アルカリ剤を含有する第１剤３０ａと酸化剤を含有する第２剤３０ｂとを効率良く混合させて、染毛剤を毛髪に塗布できるようになっている。
【００１３】
そして、本実施形態の毛髪処理剤用ブラシ１０は、ブラシ台１１の幅方向Ｙに複数列に並べた状態で当該ブラシ台１１の上面１１ａに長さ方向に毛髪処理剤（アルカリ剤を含有する第１剤３０ａ及び酸化剤を含有する第２剤３０ｂ）を載置できる毛髪処理剤（染毛剤）用のブラシであって、図１及び図３に示すように、ブラシ台１１の幅方向Ｙの両側の側縁部に沿って各々設けられ、ブラシ台１１の長さ方向Ｘに所定の間隔をおいて配置された複数本の外側ブラシ歯１２ａからなる外側ブラシ歯列１２と、外側ブラシ歯列１２のブラシ台１１の幅方向Ｙの内側に隣接して設けられ、ブラシ台１１の長さ方向Ｘに所定の間隔をおいて配置された複数本のエラストマーによる内側ブラシ歯１３ａからなる内側ブラシ歯列１３とを含んで形成されている。内側ブラシ歯１３ａの中心軸ｃ’が外側ブラシ歯１２ａの中心軸ｃとブラシ台１１の幅方向Ｙに重ならないように、内側ブラシ歯１３ａと外側ブラシ歯１２ａとが千鳥状に配置されている（図２、図３参照）。なお、各ブラシ歯の中心軸は、各ブラシ歯が立設する方向の中心軸である。
【００１４】
外側ブラシ歯列１２を構成する外側ブラシ歯１２ａは、毛髪処理剤を毛髪に塗布する際に、撓まない剛性を有していると共に、図４にも示すように、好ましくはブラシ台１１の基面１１ｂに対して垂直な方向Ｚから、ブラシ台１１の幅方向Ｙの外側に傾いた状態で立設して設けられている。また、内側ブラシ歯列１３を構成するエラストマーによる内側ブラシ歯１３ａは、ブラシ台１１の基面１１ｂに対して垂直な方向Ｚにおける先端の高さが、外側ブラシ歯１２ａの先端の高さよりも、本実施形態では低くなるように立設して設けられている。内側ブラシ歯１３ａは、その中心軸ｃ’が、外側ブラシ歯１２ａの中心軸ｃとブラシ台１１の幅方向Ｙに重ならないように、外側ブラシ歯１２ａに対して千鳥状に配置されていることにより（図２、図３参照）、毛髪処理剤を毛髪に塗布する際に、先端部１３ｂが、好ましくは隣接する複数本の外側ブラシ歯１２ａの間の間隔部分を介して、外側ブラシ歯列１２の外方に突出するまで変形することが可能となっている（図４参照）。
【００１５】
また、本実施形態では、両側の内側ブラシ歯列１３の間の中間部分（ブラシ台１１の幅方向Ｙの中間部分）に、ブラシ台１１の長さ方向Ｘに所定の間隔をおいて配置された複数本のエラストマーによる中間部ブラシ歯１４ａからなる、中間部ブラシ歯列１４が設けられている（図１参照）。
【００１６】
さらに、本実施形態では、ブラシ台１１の長さ方向Ｘの両側の端部に、ブラシ台１１の幅方向Ｙに所定の間隔をおいて配置された複数本の端部ブラシ歯１５ａからなる端部ブラシ歯列１５が設けられている（図１参照）。
【００１７】
本実施形態では、毛髪処理用具２０のブラシ部２２を構成する毛髪処理剤用ブラシ１０は、図１及び図３に示すように、縦長の略矩形の平面形状を有するブラシ台１１を備えている。ブラシ台１１には、これの上面１１ａから上方に立設して、複数本の外側ブラシ歯１２ａからなる外側ブラシ歯列１２と、エラストマーによる複数本の内側ブラシ歯１３ａからなる内側ブラシ歯列１３と、エラストマーによる複数本の中間部ブラシ歯１４ａからなる中間部ブラシ歯列１４と、複数本の端部ブラシ歯１５ａからなる端部ブラシ歯列１５とが設けられている。
【００１８】
また、本実施形態では、ブラシ台１１は、図４に示すように、毛髪処理用具２０のハンドル部２４や取付け基板部２５と同様の樹脂として、例えばポリエチレン樹脂、ポリプロピレン樹脂、ＡＢＳ樹脂（アクリロニトリル・ブタジエン・スチレン共重合合成樹脂）等を用いて、これらと一体成形された部分となっている基台部１１ｃと、基台部１１ｃに形成された嵌込み凹部１１ｅに嵌め込むようにして装着された、エラストマーを用いて形成された、軟質基台部１１ｄとを含んで構成されている。なお、嵌込み凹部１１ｅへの軟質基台部１１ｄの固定は、嵌合による固定の他に、インサート成形、２色成形等の成形による固定、接着剤や粘着剤を用いた固定等を採用することができる。
【００１９】
本明細書中でエラストマーとは、スチレン系、ポリエステル系、オレフィン系、ウレタン系等のエラストマー樹脂の他、天然ゴム及び合成ゴムを含んでいる。
【００２０】
なお、仮に内側ブラシ歯１３ａ、中間部ブラシ歯１４ａをナイロン等の毛（ブリッスル）による毛束で形成した場合には、毛髪処理剤を毛髪に塗布する際に、毛束を構成する複数の毛の間に毛髪処理剤が入り込んでしまったり、毛先が広がったりして、毛髪処理剤の混合性や毛髪への塗布性が劣ってしまうが、内側ブラシ歯１３ａ、中間部ブラシ歯１４ａをエラストマーで形成すると、毛髪処理剤の混合性や毛髪への塗布性を向上させることができる。
【００２１】
嵌込み凹部１１ｅは、基台部１１ｃの環状の周縁部分によって囲まれる内側領域を凹状に窪ませることで、ブラシ台１１の平面形状と略相似形の、縦長の略矩形の平面形状を有するように形成されている。この嵌込み凹部１１ｅに、同様の縦長の略矩形の平面形状を有するように成形された軟質基台部１１ｄを、嵌め込むようにして一体として接合することにより、基台部１１ｃの上面と軟質基台部１１ｄの上面とを連続させた状態で、これらが一体となったブラシ台１１が形成されるようになっている。本実施形態では、ブラシ台１１の上面１１ａにおける、基台部１１ｃによる周縁部分から上方に立設して、基台部１１ｃと一体成形された外側ブラシ歯列１２及び端部ブラシ歯列１５が設けられており、軟質基台部１１ｄによる内側領域から上方に立設して、軟質基台部１１ｄと一体成形されたエラストマーによる内側ブラシ歯列１３及び中間部ブラシ歯列１４が設けられている。
【００２２】
ブラシ台１１の周縁部分である幅方向Ｙの両側の側縁部に沿って各々設けられた、外側ブラシ歯列１２は、ブラシ台１１の長さ方向Ｘに所定の間隔をおいて配置された、複数本（本実施形態では１５本）の外側ブラシ歯１２ａによって構成されている。外側ブラシ歯１２ａは、毛髪処理剤を毛髪に塗布する際に、撓まない剛性を有している。外側ブラシ歯列１２の外側ブラシ歯１２ａが、このような剛性を備えていることにより、好ましくは毛髪処理剤用ブラシ１０をブラシ台１１の幅方向Ｙに動かすことで、毛髪を梳かすことができ、また後述のように内側ブラシ歯１３ａの撓み変形との相乗効果により、アルカリ剤を含有する第１剤３０ａと酸化剤を含有する第２剤３０ｂとを効率良く混合させて、毛髪処理剤を毛髪の裏側まで塗布できるようになる。
【００２３】
ここで、以下に記載するように、外側ブラシ歯１２ａの材質、断面形状、断面寸法、先端高さ、を適宜選択することで、外側ブラシ歯１２ａは、毛髪処理剤を毛髪に塗布する際に、撓まない剛性を有することができる。
【００２４】
外側ブラシ歯１２ａの材質は、例えばブラシ台１１の基台部１１ｃと同様に、ポリエチレン樹脂、ポリプロピレン樹脂、ＡＢＳ樹脂（アクリロニトリル・ブタジエン・スチレン共重合合成樹脂）等を用いた材質とすることができる。本実施形態ではポリプロピレンを用いた材質となっている。
【００２５】
また、例えばポリプロピレン樹脂の引張弾性率は、１０００〜２０００ＭＰａ（ＪＩＳ Ｋ７１６１，７１６２：１９９４に準じての測定値）程度であり、後述の内側ブラシ歯１３ａに用いられるエラストマーの引張弾性率よりも、数１０〜数１００倍大きな値を有する。
【００２６】
外側ブラシ歯１２ａの断面形状は、円形、楕円形、多角形等を採用することができる。また高さ方向（ブラシ台１１の基面１１ｂに対して垂直な方向Ｚ）で異なった断面形状を備えていても良い。例えば、外側ブラシ歯１２ａの根本部分の断面形状を円形、先端部分の断面形状を楕円形とすることもできる。
【００２７】
外側ブラシ歯１２ａの根本部分の断面寸法（断面が円形であれば直径、非円形であれば円相当径）は、例えば１ｍｍ〜５ｍｍ程度とすることができる。また、高さ方向（ブラシ台１１の基面１１ｂに対して垂直な方向Ｚ）で根本部分と異なった断面寸法を備えていても良い。
【００２８】
外側ブラシ歯１２ａの先端高さ（ブラシ台１１の基面１１ｂに対して垂直な方向Ｚの高さ）は、例えば４ｍｍ〜１５ｍｍ程度である。
【００２９】
本実施形態では、外側ブラシ歯１２ａは、各々、例えば１ｍｍ程度の外径を有する、先端が球面状に加工された縦長の略切頭円錐形状を備えており、先端の高さが、ブラシ台１１の基面１１ｂから例えば７ｍｍ程度の高さとなるように立設して設けられている。また、外側ブラシ歯１２ａの断面形状は円形であり、根本部分の直径は約２ｍｍ、先端部分の直径は約１ｍｍである。また、外側ブラシ歯１２ａは、ブラシ台１１の長さ方向Ｘに所定の間隔として、例えば４ｍｍの中心軸ｃ間の間隔をおいて、複数本が列状に並べて配置されており、これによって、ブラシ台１１の幅方向Ｙの両側の側縁部に、外側ブラシ歯列１２を各々形成している。
【００３０】
なお、複数本の外側ブラシ歯１２ａの、ブラシ台１１の長さ方向Ｘにおける中心軸ｃ間の間隔の好ましい範囲は、１〜６ｍｍ程度である。
【００３１】
さらに、本実施形態では、外側ブラシ歯列１２を構成する外側ブラシ歯１２ａは、その中心軸ｃが、ブラシ台１１の基面１１ｂに対して垂直な方向Ｚから、ブラシ台１１の幅方向Ｙの外側に、好ましくは５〜４５度、より好ましくは５〜３０度、更に好ましくは５〜２０度の傾斜角度θで傾いた状態で立設して設けられている。これによって、より多くの量の毛髪処理剤をブラシ台１１の上面１１ａに載置させることが可能になると共に、毛髪を梳かしながら毛髪処理剤を毛髪に塗布する為に、ブラシ台１１の幅方向Ｙに毛髪処理剤用ブラシ１０をスライド移動させると、外側ブラシ歯１２ａがガイドとなって、毛髪が外側ブラシ歯１２ａの先端側からブラシ台１１側に移動することで、毛髪を毛髪処理剤と、より接触させ易くすることが可能になる。また、ブラシ台１１の幅方向Ｙに毛髪処理剤用ブラシ１０をスライド移動させると、外側ブラシ歯１２ａが毛髪の根元に接触しながら毛髪を立たせることができ、毛髪処理剤の毛髪への塗布性を向上させることが可能になる。
【００３２】
ここで、ブラシ台１１の基面１１ｂは、ブラシ台１１の幅方向Ｙの両側の側縁部に設けられた、一対の外側ブラシ歯列１２を構成する外側ブラシ歯１２ａの、ブラシ台１１の上面１１ａにおける立設基端部を、両側の外側ブラシ歯列１２の間で結ぶことによって得られた平坦な仮想の基準面である。
【００３３】
ブラシ台１１の長さ方向Ｘの両側の端部に各々設けられた、端部ブラシ歯列１５は、ブラシ台１１の幅方向Ｙに所定の間隔をおいて配置された、複数本（本実施形態では３本）の端部ブラシ歯１５ａによって構成されている。端部ブラシ歯１５ａは、上述のように、ブラシ台１１の基台部１１ｃと一体成形されることにより、外側ブラシ歯列１２の外側ブラシ歯１２ａと同様に、毛髪処理剤を毛髪に塗布する際に、撓まない剛性を有している。
【００３４】
ここで、以下に記載するように、端部ブラシ歯１５ａは、外側ブラシ歯１２ａと同様に、材質、断面形状、断面寸法、先端高さ、を適宜選択することで、毛髪処理剤を毛髪に塗布する際に、撓まない剛性を有することができる。
【００３５】
端部ブラシ歯１５ａの材質は、例えばポリエチレン樹脂、ポリプロピレン樹脂、ＡＢＳ樹脂（アクリロニトリル・ブタジエン・スチレン共重合合成樹脂）等を用いた材質とすることができる。本実施形態ではポリプロピレンを用いた材質となっている。
【００３６】
また、例えばポリプロピレン樹脂の引張弾性率は、１０００〜２０００ＭＰａ（ＪＩＳ Ｋ７１６１，７１６２：１９９４に準じての測定値）程度であり、後述の内側ブラシ歯１３ａに用いられるエラストマーの引張弾性率よりも、数１０〜数１００倍大きな値を有する。
【００３７】
端部ブラシ歯１５ａの断面形状は、円形、楕円形、多角形等を採用することができる。また高さ方向（ブラシ台１１の基面１１ｂに対して垂直な方向Ｚ）で異なった断面形状を備えていても良い。例えば、端部ブラシ歯１５ａの根本部分の断面形状を円形、先端部分の断面形状を楕円形とすることもできる。
【００３８】
端部ブラシ歯１５ａの根本部分の断面寸法（断面が円形であれば直径、非円形であれば円相当径）は、例えば１ｍｍ〜５ｍｍ程度とすることができる。また、高さ方向（ブラシ台１１の基面１１ｂに対して垂直な方向Ｚ）で根本部分と異なった断面寸法を備えていても良い。
【００３９】
端部ブラシ歯１５ａの先端高さ（ブラシ台１１の基面１１ｂに対して垂直な方向Ｚの高さ）は、例えば４ｍｍ〜１５ｍｍ程度である。
【００４０】
本実施形態では、端部ブラシ歯列１５の端部ブラシ歯１５ａは、各々、外側ブラシ歯列１２の外側ブラシ歯１２ａと同様に、例えば１ｍｍ程度の外径を有する、先端が球面状に加工された縦長の略切頭円錐形状を備えており、先端の高さが、ブラシ台１１の基面１１ｂから例えば７ｍｍ程度の高さとなるように立設して設けられている。また、端部ブラシ歯１５ａの断面形状は円形であり、根本部分の直径は約２ｍｍ、先端部分の直径は約１ｍｍである。
【００４１】
また、端部ブラシ歯列１５の端部ブラシ歯１５ａは、ブラシ台１１の幅方向Ｙに所定の間隔として、例えば４ｍｍの中心軸間の間隔をおいて、例えば３本が列状に並べて配置されており、これによって、ブラシ台１１の長さ方向Ｘの両側の縁部に、端部ブラシ歯列１５を各々形成している。端部ブラシ歯列１５の端部ブラシ歯１５ａは、ブラシ台１１の基面１１ｂに対して垂直な方向Ｚに立設して設けられている。ブラシ台１１の長さ方向Ｘの両側の端部に、端部ブラシ歯列１５が設けられていることにより、図５に示すように、当該両側の端部の端部ブラシ歯列１５とブラシ台１１の幅方向Ｙの両側の外側ブラシ歯列１２とによって囲まれた領域において、適量の毛髪処理剤を、ブラシ台１１の上面１１ａに容易に載置させることが可能になる。また、端部ブラシ歯列１５が設けられていることにより、載置された毛髪処理剤の、ブラシ台１１からの意図しない流出を防ぐことが可能になる。
【００４２】
なお、複数本の端部ブラシ歯１５ａの、ブラシ台１１の幅方向Ｙにおける中心軸間の間隔の好ましい範囲は、１〜６ｍｍ程度である。
【００４３】
ブラシ台１１の幅方向Ｙに隣接して外側ブラシ歯列１２の内側に設けられた、内側ブラシ歯列１３は、ブラシ台１１の長さ方向Ｘに所定の間隔をおいて配置された、複数本（本実施形態では１４本）のエラストマーによる内側ブラシ歯１３ａによって構成されている。エラストマーによる内側ブラシ歯１３ａは、上述のように、ブラシ台１１のエラストマーによる軟質基台部１１ｄと、一体成形されて設けられている。内側ブラシ歯列１３の内側ブラシ歯１３ａが、エラストマーで作られていることにより、毛髪処理剤を毛髪に塗布する際に、図６に示すように、毛髪処理剤用ブラシ１０を動かす方向Ｍとは反対側に内側ブラシ歯１３ａが撓むことにより、内側ブラシ歯１３ａと毛髪とによって挟まれた領域の毛髪処理剤を、毛髪の表面から１本１本の毛髪の間に押し込むことが可能になる。またこれによって、毛髪の裏側まで効果的に毛髪処理剤を塗布することが可能になる。
【００４４】
更に、毛髪処理剤を毛髪に塗布する際に、撓まない剛性を有している外側ブラシ歯１２ａ、及び複数の外側ブラシ歯１２ａの間の毛髪によって、毛髪処理剤を外側ブラシ歯列１２の内側に留めておくことができ、内側ブラシ歯１３ａの撓み動作との相乗効果により、毛髪処理剤をさらに効率良く、混合させることができる。
【００４５】
ここで、以下に記載するように、内側ブラシ歯１３ａの材質、断面形状、断面寸法、先端高さ、を適宜選択することで、内側ブラシ歯１３ａは、毛髪処理剤を毛髪に塗布する際に、撓む剛性を有することができる。
【００４６】
内側ブラシ歯１３ａの材質はエラストマーである。本実施形態ではスチレン系エラストマーを用いている。
【００４７】
また、例えばスチレン系エラストマーの引張弾性率は、５〜５０ＭＰａ（ＪＩＳ Ｋ７１１３に準じての測定値）程度である。
【００４８】
内側ブラシ歯１３ａの断面形状は、円形、楕円形、多角形等を採用することができる。また高さ方向（ブラシ台１１の基面１１ｂに対して垂直な方向Ｚ）で異なった断面形状を備えていても良い。例えば、内側ブラシ歯１３ａの根本部分の断面形状を円形、先端部分の断面形状を楕円形とすることもできる。
【００４９】
内側ブラシ歯１３ａの根本部分の断面寸法（断面が円形であれば直径、非円形であれば円相当径）は、例えば１ｍｍ〜５ｍｍ程度とすることができる。また、高さ方向（ブラシ台１１の基面１１ｂに対して垂直な方向Ｚ）で根本部分と異なった断面寸法を備えていても良い。
【００５０】
内側ブラシ歯１３ａの先端高さ（ブラシ台１１の基面１１ｂに対して垂直な方向Ｚの高さ）は、例えば３ｍｍ〜１４ｍｍ程度である。
【００５１】
本実施形態では、内側ブラシ歯列１３を構成するエラストマーによる内側ブラシ歯１３ａは、各々、例えば１ｍｍ程度の外径を有する、先端が球面状に加工された縦長の略切頭円錐形状を備えており、先端の高さが、ブラシ台１１の基面１１ｂから例えば６ｍｍ程度の高さとなるように立設して設けられている。エラストマーによる内側ブラシ歯１３ａは、ブラシ台１１の基面１１ｂに対して垂直な方向Ｚにおいて、先端の高さが外側ブラシ歯列１２の外側ブラシ歯１２ａの先端の高さよりも、好ましくは１ｍｍ程度の高低差ｈ（図４参照）で低くなるように立設して設けられている。エラストマーの内側ブラシ歯１３ａの先端の高さが、外側ブラシ歯列１２の外側ブラシ歯１２ａの先端の高さよりも低くなっていることにより、内側ブラシ歯１３aによって邪魔されることなく、外側ブラシ歯列１２で毛髪を梳かしながら、毛髪処理剤を毛髪に塗布することが可能になる。また、頭の曲率に沿わせて毛髪処理剤を毛髪に塗布することが可能となる。このような観点から、内側ブラシ歯１３ａは、ブラシ台１１の基面１１ｂに対して垂直な方向Ｚにおける先端の高さが、外側ブラシ歯１２ａの先端の高さよりも、０．５〜１０ｍｍの高低差ｈで低くなるように立設して設けられていることが好ましい。
【００５２】
さらに、本実施形態では、内側ブラシ歯列１３を構成するエラストマーによる内側ブラシ歯１３ａは、ブラシ台１１の長さ方向Ｘに所定の間隔として、外側ブラシ歯列１２の外側ブラシ歯１２ａと同様に、例えば４ｍｍの中心軸ｃ’間の間隔をおいて、複数本が列状に並べて配置されている。これによって、ブラシ台１１の軟質基台部１１ｄにおける、幅方向Ｙの両側の側縁部に、一対の内側ブラシ歯列１３が、外側ブラシ歯列１２の内側に隣接させて各々形成されている。また、エラストマーによる内側ブラシ歯１３ａは、外側ブラシ歯列１２の外側ブラシ歯１２ａに対して、ブラシ台１１の長さ方向Ｘに、隣り合う外側ブラシ歯１２ａ同士のピッチの半分づつずれるようにして、千鳥状に配設されている。これによって、エラストマーの内側ブラシ歯１３ａは、その中心軸ｃ’が、外側ブラシ歯列１２の外側ブラシ歯１２ａの中心軸ｃと、ブラシ台１１の幅方向Ｙに重ならないように配置されている。エラストマーによる内側ブラシ歯１３ａの中心軸ｃ’が、外側ブラシ歯１２ａの中心軸ｃと、ブラシ台１１の幅方向Ｙに重ならないように配置されていることにより、好ましくは毛髪処理剤用ブラシ１０をブラシ台１１の幅方向Ｙに動かすことで、毛髪処理剤を毛髪に塗布する際に、外側ブラシ歯１２aと内側ブラシ歯１３aとを干渉させることなく、図６に示すように、毛髪処理剤用ブラシ１０を動かす方向Ｍとは反対側に、内側ブラシ歯１３ａを撓ませることが可能になる。
【００５３】
さらにまた、本実施形態では、内側ブラシ歯列１３を構成するエラストマーによる内側ブラシ歯１３ａは、先端部１３ｂが、外側ブラシ歯列１２の隣接する各一対の外側ブラシ歯１２ａの間の間隔部分を介して、ブラシ歯列１２の外側に突出するまで変形可能となるように形成されている（図４、図７参照）。内側ブラシ歯列１３のエラストマーによる内側ブラシ歯１３ａが、隣接する外側ブラシ歯１２ａの間の間隔部分を介して、先端部１３ｂが外側ブラシ歯列１２の外側に突出するまで変形可能となっていることにより、図７に示すように、内側ブラシ歯１３ａの先端部１３ｂが外側ブラシ歯列１２の外方に突出するまで変形することで、外側ブラシ歯１２ａの側面と内側ブラシ歯１３ａの側面との間に、小分けされた毛髪を挟み込むことができ、これによって毛髪処理剤を毛髪の裏側まで更に効果的に行き渡らせることが可能になる。
【００５４】
両側の内側ブラシ歯列１３の間の中間部分に設けられた、中間部ブラシ歯列１４は、ブラシ台１１の長さ方向Ｘに所定の間隔をおいて配置された、複数本（本実施形態では１３本）のエラストマーによる中間部ブラシ歯１４ａによって構成されている。エラストマーによる中間部ブラシ歯１４ａは、上述のように、ブラシ台１１のエラストマーによる軟質基台部１１ｄと、一体成形されて設けられている。中間部ブラシ歯列１４のエラストマーによる中間部ブラシ歯１４ａは、内側ブラシ歯１３ａと同様に、毛髪処理剤を毛髪に塗布する際に、図６に示すように、毛髪処理剤用ブラシ１０を動かす方向Ｍとは反対側に撓むようになっている。これによって、内側ブラシ歯１３aと同様に、中間部ブラシ歯１４ａと毛髪とによって挟まれた毛髪処理剤を、毛髪の表面から１本１本の毛髪の間に押し込むことができ、毛髪の裏側まで効果的に毛髪処理剤を塗布することが可能になる。
【００５５】
ここで、以下に記載するように、中間部ブラシ歯列１４は、内側ブラシ歯１３ａと同様に、材質、断面形状、断面寸法、先端高さ、を適宜選択することで、毛髪処理剤を毛髪に塗布する際に、撓む剛性を有することができる。
【００５６】
中間部ブラシ歯１４ａの材質はエラストマーである。本実施形態ではスチレン系エラストマーを用いている。
【００５７】
また、例えばスチレン系エラストマーの引張弾性率は、５〜５０ＭＰａ（ＪＩＳ Ｋ７１１３に準じての測定値）程度である。
【００５８】
中間部ブラシ歯１４ａの断面形状は、円形、楕円形、多角形等を採用することができる。また高さ方向（ブラシ台１１の基面１１ｂに対して垂直な方向Ｚ）で異なった断面形状を備えていても良い。例えば、中間部ブラシ歯１４ａの根本部分の断面形状を円形、先端部分の断面形状を楕円形とすることもできる。
【００５９】
中間部ブラシ歯１４ａの根本部分断面寸法（断面が円形であれば直径、非円形であれば円相当径）は、例えば１ｍｍ〜５ｍｍ程度とすることができる。また、高さ方向（ブラシ台１１の基面１１ｂに対して垂直な方向Ｚ）で根本部分と異なった断面寸法を備えていても良い。
【００６０】
中間部ブラシ歯１４ａの先端高さ（ブラシ台１１の基面１１ｂに対して垂直な方向Ｚの高さ）は、例えば２ｍｍ〜１０ｍｍ程度である。
【００６１】
本実施形態では、中間部ブラシ歯列１４を構成する中間部ブラシ歯１４ａは、各々、例えば１ｍｍ程度の外径を有する、先端が球面状に加工された縦長の略切頭円錐形状を備えており、先端の高さが、ブラシ台１１の基面１１ｂから例えば５ｍｍ程度の高さとなるように立設して設けられている。中間部ブラシ歯１４ａは、先端の高さが、内側ブラシ歯列１３を構成する内側ブラシ歯１３ａの先端の高さよりも、ブラシ台１１の基面１１ｂに対して垂直な方向Ｚに、好ましくは０．５〜２ｍｍ程度低くなるように立設して設けられている。中間部ブラシ歯１４ａの先端の高さを内側ブラシ歯１３ａの先端の高さよりも低くすることで、ブラシ台１１の上面に、毛髪処理剤を安定良く載置することができる。
【００６２】
さらに、本実施形態では、中間部ブラシ歯列１４を構成する中間部ブラシ歯１４ａは、ブラシ台１１の長さ方向Ｘに所定の間隔として、内側ブラシ歯列１３の内側ブラシ歯１３ａと同様に、例えば４ｍｍの中心軸間の間隔をおいて、複数本が列状に並べて配置されている。これによって、ブラシ台１１の軟質基台部１１ｄにおける中央部分に、中間部ブラシ歯列１４が形成されている。また、中間部ブラシ歯１４ａは、内側ブラシ歯列１３の内側ブラシ歯１３ａに対して、ブラシ台１１の長さ方向Ｘに、隣り合う内側ブラシ歯１３ａ同士のピッチの半分づつずれるようにして、千鳥状に配置されている。
【００６３】
両側の内側ブラシ歯列１３の間の中間部分に、中間部ブラシ歯列１４が設けられ、中間部ブラシ歯１４ａが内側ブラシ歯１３ａに対して千鳥状に配置されていることにより、毛髪処理剤を毛髪に塗布する際に、内側ブラシ歯１３ａと中間部ブラシ歯１４ａとを干渉させることなく、図６に示すように、毛髪処理剤用ブラシ１０を動かす方向Ｍとは反対側に中間部ブラシ歯１４ａを撓ませることができ、中間部ブラシ歯１４ａと毛髪とによって挟まれた毛髪処理剤の混合性を向上させることが可能になると共に、毛髪処理剤を毛髪の表面から１本１本の毛髪の間に押し込むことが可能になる。これによって、毛髪の裏側まで効果的に毛髪処理剤を塗布することが可能になる。
【００６４】
また、両側の内側ブラシ歯列１３の間の中間部分に、中間部ブラシ歯列１４が設けられていることにより、ブラシ台１１の上面に載置された毛髪処理剤が、内側ブラシ歯列１３及び中間部ブラシ歯列１４の双方に接触するため、ブラシ台１１の上面での毛髪処理剤の保持性を向上させることが可能になる。
【００６５】
また、ブラシ台１１の幅方向Ｙにおける、内側ブラシ歯列１３と中間部ブラシ歯列１４の間の領域は、いかなるブラシ歯も存在しない領域となっていることが、当該領域を毛髪処理剤を載置する際の目印とすることができ、また毛髪処理剤を安定的にブラシ台の上面に載置できる観点から好ましい。
【００６６】
また、ブラシ台１１の幅方向Ｙにおける、内側ブラシ歯列１３と中間部ブラシ歯列１４の間の領域が、いかなるブラシ歯も存在しない領域となっていることにより、図６に示すように、中間部ブラシ歯１４ａを、毛髪処理剤用ブラシ１０を動かす方向Ｍとは反対側に、他のブラシ歯と緩衝させることなく撓ませることが可能になり、これによって中間部ブラシ歯１４ａと毛髪とによって挟まれた毛髪処理剤の混合性を、さらに向上させることが可能になる。
【００６７】
ブラシ台１１の幅方向Ｙにおける、かかる領域の幅ｗ（内側ブラシ歯列１３と中間部ブラシ歯列１４の根本部分のブラシ歯の側面間の幅、図３参照）は、３〜８ｍｍが好ましく、３〜６ｍｍがより好ましい。本実施形態では４ｍｍである。
【００６８】
上述の構成を備える毛髪処理剤用ブラシ１０を用いて、毛髪処理剤（染毛剤）を毛髪に塗布して処理（染毛）するには、使用者は、例えばハンドル部２４を手で把持して、毛髪処理用具２０のブラシ部２２（毛髪処理剤用ブラシ１０）を上方に向けた状態で、例えば特開２００２−１１９３２８号公報や特開２００３−２０５９３８号公報に記載の２連エアゾール容器から、２剤式の毛髪処理剤である染毛剤の、例えばアルカリ剤及び酸化染料を含有する第１剤と、酸化剤である過酸化水素を含有する第２剤とを、好ましくはクリーム状や泡状にして吐出することで、図５に示すように、吐出させた第１剤及び第２剤を、ブラシ台１１の長さ方向Ｘに延設させると共に、ブラシ台１１の幅方向Ｙに並べた状態で、当該ブラシ台１１の上面１１ａに載置させる。これによって、混合前の第１剤及び第２剤の各々の品質や量を、視認によって容易に確認することが可能になる。
【００６９】
しかる後に、使用者は、第１剤及び第２剤を載置した毛髪処理剤用ブラシ１０を毛髪に対向させるように、毛髪処理用具２０を操作すると共に、例えば毛髪処理用具２０の櫛部２１によって分けとった毛髪の分け目に沿って、毛髪処理剤用ブラシ１０を押し付けた状態で、好ましくはブラシ台１１の幅方向Ｙに毛髪処理剤用ブラシ１０をスライド移動させる。この時、内側ブラシ歯１３ａと毛髪の間に挟まれた第１剤及び第２剤が押し広げられて、これらの剤同士が重なり合うことになる。そして、使用者が毛髪処理剤用ブラシ１０のスライド移動を続行することによって、第１剤と第２剤とを混合させながら、染毛剤をなじませるようにして毛髪に塗布することが可能になる。また、使用者は、毛髪処理用具２０のミニブラシ部２３を用いて、例えば毛髪に塗布された染毛剤を掬い取って、毛の生え際や、もみあげ部等の、細かい部分の毛髪になじませるようにして染毛剤を塗布することによって、これらの細かい部分の毛髪を、容易に処理することが可能になる。
【００７０】
そして、上述の構成を備える本実施形態の毛髪処理剤用ブラシ１０によれば、毛髪を梳かしながら毛髪処理剤を毛髪に塗布する際に、アルカリ剤を含有する第１剤と酸化剤を含有する第２剤との混合性をさらに向上させることが可能になると共に、毛髪処理剤を毛髪の裏側まで充分に塗布することが可能になる。
【００７１】
すなわち、本実施形態によれば、毛髪処理剤用ブラシ１０は、ブラシ台１１の幅方向Ｙの両側の側縁部に沿って各々設けられた、複数本の外側ブラシ歯１２ａからなる外側ブラシ歯列１２と、外側ブラシ歯列１２のブラシ台１１の幅方向Ｙの内側に隣接して設けられた、複数本のエラストマーによる内側ブラシ歯１３ａからなる内側ブラシ歯列１３とを含んで形成されており、内側ブラシ歯１３ａと外側ブラシ歯１２ａとがブラシ台１１の幅方向Ｙに千鳥状に配置されており、好ましくは、内側ブラシ歯１３ａの先端部１３ｂが、隣接する外側ブラシ歯１２ａの間の間隔部分を介して、外側ブラシ歯列１２の外方に突出するまで変形可能となっている。
【００７２】
これらによって、本実施形態の毛髪処理剤用ブラシ１０によれば、ブラシ台１１の幅方向Ｙに毛髪処理剤用ブラシ１０をスライド移動させて、毛髪を梳かしながら染毛剤を毛髪に塗布する際に、内側ブラシ歯列１３の内側ブラシ歯１３ａの外側に配置された外側ブラシ歯列１２の外側ブラシ歯１２ａ、及び毛髪による壁効果と、内側ブラシ歯列１３の内側ブラシ歯１３ａが撓むこととによる相乗効果によって、以下のように第１剤と第２剤との混合性を向上させるとともに、毛髪の裏側まで毛髪処理剤を塗布することができる。
【００７３】
１．内側ブラシ歯１３ａと外側ブラシ歯１２ａとがブラシ台１１の幅方向Ｙに千鳥状に配置されているため、毛髪の束はうねった状態で各ブラシ歯１２ａ、１３ａ間の狭い隙間に小分けされる。
２．ブラシ台１１の幅方向Ｙに毛髪処理剤用ブラシ１０をスライド移動させて、毛髪を梳かしながら染毛剤を毛髪に塗布すると、毛髪処理剤用ブラシ１０を動かす方向Ｍとは反対側の外側ブラシ歯列１２側に、第１剤と第２剤とが寄せられると共に、各ブラシ歯１２ａ、１３ａ間の狭い隙間にうねった状態で小分けされた毛髪との間の相対移動によって、第１剤と第２剤の混合が促進される。
３．また、ブラシ台１１の幅方向Ｙに毛髪処理剤用ブラシ１０をスライド移動させて、毛髪を梳かしながら染毛剤を毛髪に塗布すると、毛髪処理剤用ブラシ１０を動かす方向Ｍとは反対側に毛先が向くように、エラストマーによる内側ブラシ歯１３ａが撓むことにより、内側ブラシ歯１３ａと毛髪とによって挟まれた領域の毛髪処理剤を、毛髪の表面から１本１本の毛髪の間に押し込むことが可能になり、毛髪処理剤が毛髪の裏側まで到達し易くなるので、毛髪処理剤を毛髪の周方向の全体に塗布することができる。
【００７４】
なお、本発明は上記実施形態に限定されることなく種々の変更が可能である。例えば、両側の内側ブラシ歯列の間の中間部分に、中間部ブラシ歯列を設ける必要は必ずしも無く、ブラシ台の長さ方向の両側の端部に、端部ブラシ歯列を設ける必要は必ずしも無い。また、毛髪処理剤用ブラシは、櫛部、ブラシ部、及びミニブラシ部を有する毛髪処理用具の、ブラシ部を構成する部分として用いる必要は必ずしも無く、毛髪処理剤用ブラシにハンドル部を取り付けて、毛髪処理のための専用のブラシとして用いることもできる。さらに、毛髪処理剤用ブラシによって毛髪に塗布される毛髪処理剤は、複数の剤であれば良く、染毛剤の他、脱色剤等の、アルカリ剤を含有する第１剤と、酸化剤を含有する第２剤とを混合した状態で毛髪に塗布される、その他の種々の毛髪処理剤であっても良い。また、アルカリ剤を含有する第１剤と、酸化剤を含有する第２剤を使用しない例として、成分の異なる２種類のトリートメント剤等であっても良い。
【００７５】
また、内側ブラシ歯列を構成する内側ブラシ歯は、ブラシ台の基面に対して垂直な方向における先端の高さが、外側ブラシ歯の先端の高さ以下となるように立設して設けられていれば良く、外側ブラシ歯の先端の高さと同じになるように立設して設けられていても良い。
【符号の説明】
【００７６】
１０  毛髪処理剤用ブラシ
１１  ブラシ台
１１ａ  上面
１１ｂ  基面
１１ｃ  基台部
１１ｄ  軟質基台部
１１ｅ  嵌込み凹部
１２  外側ブラシ歯列
１２ａ  外側ブラシ歯
１３  内側ブラシ歯列
１３ａ  内側ブラシ歯
１３ｂ  先端部
１４  中間部ブラシ歯列
１４ａ  中間部ブラシ歯
１５  端部ブラシ歯列
１５ａ  端部ブラシ歯
２０  毛髪処理用具
２１  櫛部
２２  ブラシ部
２３  ミニブラシ部
２４  ハンドル部
２５  基板部
３０ａ  第１剤
３０ｂ  第２剤
Ｘ    ブラシ台の長さ方向
Ｙ    ブラシ台の幅方向
Ｚ    ブラシ台の基面にして垂直な方向
Ｍ    毛髪処理剤用ブラシを動かす方向
【図１】
0006803713.tif 000002
【図２】
0006803713.tif 000003
【図３】
0006803713.tif 000004
【図４】
0006803713.tif 000005
【図５】
0006803713.tif 000006
【図６】
0006803713.tif 000007
【図７】
0006803713.tif 000008